(57)【要約】  液体ポリエチレングリコール（ＰＥＧ）、アクリル誘導体の混合物等のゲル化成分及び任意に重合開始剤を含むゲルの液状前駆体。適切な重合開始剤は光開始剤のジフェニル‐（２，４，６‐トリメチルベンゾイル）‐ホスフィン酸化物である。ゲル化はＵＶの照射によって達成できる。得られたゲルは水を含まず、さまざまな作動条件において高粘度を示すことができる。該ゲルは、目標とする閾値を超えた加速力にさらされたことを示すのに適した表示装置での使用に適する。その表示装置は、情報担体（コンピュータに読み込み可能な光ディスクなど）が過去にアクセスされたかどうかを示すのに使用できる。【特許請求の範囲】
【請求項１】
ポリエチレングリコール（ＰＥＧ）及びゲル化成分を含むゲルの液状前駆体であって、
ゲル化の開始時に、前記ポリエチレングリコール（ＰＥＧ）と前記ゲル化成分とがゲルを形成するために相互作用する液状前駆体。
【請求項２】
前記ゲル化成分が重合可能である請求項１に記載の液状前駆体。
【請求項３】
さらに重合開始剤を含む請求項２に記載の液状前駆体。
【請求項４】
前記重合開始剤が光開始剤を含み、ゲル化の開始には液状前駆体への電磁放射による照射が含まれる請求項３に記載の液状前駆体。
【請求項５】
前記光開始剤が、ジフェニル‐（２，４，６‐トリメチルベンゾイル）‐ホスフィン酸化物であり、ゲル化の開始にはＵＶ及び／又は青色光による照射が含まれる請求項４に記載の液状前駆体。
【請求項６】
前記ゲル化成分が少なくとも１種のアクリル誘導体を含む請求項１〜５のいずれかの項に記載の液状前駆体。
【請求項７】
前記ゲル化成分が１種よりも多いアクリル誘導体の混合物を含む請求項１〜６のいずれかの項に記載の液状前駆体。
【請求項８】
水を含まない請求項１〜７のいずれかの項に記載の液状前駆体。
【請求項９】
請求項１〜８のいずれかの項に記載の液状前駆体のゲル化によって入手できるゲル。
【請求項１０】
液体ポリエチレングリコール（ＰＥＧ）とゲル化成分とを混合すること、及び該混合物のゲル化を開始するために該混合物を処理することを含むゲルを形成する方法。
【請求項１１】
請求項９に記載のゲルが含まれる第１部位及び実質的にゲルの存在しない第２部位を有するチューブを含む表示装置であって、
該表示装置に閾値よりも高い力がかかることにより、少なくともゲルの一部がチューブの第２部位に移動し、一方、閾値未満の力ではそのようなゲルの移動がない表示装置。
【請求項１２】
前記ゲルが着色されている請求項１１に記載の表示装置。
【請求項１３】
請求項１１又は１２に記載の表示装置を含む情報担体。
【請求項１４】
光ディスクドライブでの使用に適している請求項１３に記載の情報担体。
【請求項１５】
動作検出装置を有する情報担体の製造方法であって、
ａ）情報担体の表面に少なくとも１つの開口部を有するチューブを含む情報担体を準備すること；
ｂ）請求項１〜８のいずれかの項に記載の液状前駆体を、実質的にチューブの全部ではなく、その一部を占めるように、該開口部からチューブの中に入れること；及び、
ｃ）ゲルを形成するように該液状前駆体を処理すること
を含む製造方法。
【発明の詳細な説明】
【技術分野】
【０００１】
本発明はポリエチレングリコールを含むゲル前駆体、その前駆体からのゲル形成能及びそのゲルを含む製品に関する。
【背景技術】
【０００２】
偽造のリスクがある場合には、特定の供給元からの製品であることを識別する防衛手段と共に提供される製品が知られている。例えば、紙幣を受け取る人が、それが本物であることをすぐにチェックできるように、偽造者が再現することが難しいホログラフィ像などの特徴を紙幣などのアイテムに付与することができる。
【０００３】
場合によっては、ある製品が製造者から直接来たものであって、前もって他人に販売されたり、使用されたりしていないことが確認できることは消費者にとって有益である。例えば、１台のコンピュータのみへのソフトウェアのインストールが可能であって、譲渡することができないというライセンスの下でいくつかのコンピュータソフトウェアが販売されている。したがって、購入者が買ったソフトウェアが正しく認可されている、すなわち、それが贋物ではなく、また、そのライセンスが既に取得されていないことが確認できることが望ましい。また消費者保護法の下では、新品の製品と「中古」、すなわち既に販売され特に外部に傷みの形跡が全くない製品とを区別することが望まれるであろう。
【０００４】
現時点では、通常、製品は、未開封であることを示す方法によって包装できる。例えば、商品を収縮包装したり、熱溶接したプラスチックの箱に詰めたりすることができる。その製品を取り出すためには、そのような包装の保全を破壊しなければならないので、全ての次の消費者に対して、製品が既に開けられたという視覚的な表示が与えられる。しかしながら、悪徳業者が、新しく未使用であるとして製品を売り出すために、同様の形式の包装を用いて製品を包装し直すことは比較的簡単である。
【０００５】
特許文献１では、製品自体（特に、使用時に、ある角速度を超えて回転するコンパクトディスクなどのディスク）に適用でき、その製品が使用されたことを永久的に表示する装置について記載している。そこに記載された１つの実施例では、そのディスクは、通常、液体である表示物質を含む密封されたチューブを有しており、ディスクの使用者は液体の位置を見ることができる。製造中に、その液体はチューブの限られた部分に格納され、膜の使用や単なる液体の粘性又は表面張力によってチューブの別の部分に動くことが阻止されている。そして、チューブの他の部分に液体がないことが、ディスクが未使用であるという視覚表示として機能する。そのディスクが適当なディスクドライブ中で回転するときに、慣性力によって膜が破れるか又は表面張力に打ち勝って、その結果として、チューブ内での液体の移動が起こる。
【０００６】
液体の選択はこの装置の働きに重要である。一般的に、製造過程を大幅に簡素化するためには、初期形態においてそれを保持するために液体の粘性又は表面張力に依存することが望ましい。しかしながら、これには液体の特性に関して追加要件がある。特に（とりわけ）消費者製品と共にその装置を利用することを意図しているので、その液体が腐食性や毒性を有するものでないこと、又はそうでなければ、製品が漏れたり、破損したりしたときに、それと接触する人に害を引き起こさないことが好ましい。製造コストや製造の難しさを軽減させるために、製品内への液体の注入が比較的簡単であることが望まれる。そのような液体は当該技術分野で公知であるが、既存の液体については多くの問題がある。
【０００７】
例えば、その液体は、通常の製品保管中の数年間はチューブから漏れないことが望ましい。特に、水系の液体は毛細管現象及び／又は蒸発によって損失する傾向がある。
【０００８】
その上、多くの液体が、高緯度での冬季条件と熱帯での夏季条件との間のような作動条件の変化に伴って特性が著しく変化し得るように、温度による著しい粘度の変化を起こす。特許文献１に記載されたタイプの装置の作動では、考えられる全ての作動条件下において、表示液体が通常の製品の取り扱い中には動かずに（すなわち、粘度又は表面張力が十分高い）、使用中にディスクが回転するときにはその液体が動く（すなわち、粘度又は表面張力がそれほど高くない）ことが必要不可欠である。
【先行技術文献】
【特許文献】
【０００９】
【特許文献１】国際公開第０１／７１７１７号
【発明の概要】
【発明が解決しようとする課題】
【００１０】
ゲル材料の同じような性質が有利とされるであろう他の応用が存在することは理解されるであろう。即ち、本発明の目的は、少なくとも１つの実施形態において有用な物理的特性を有する新規なゲル（又はゲル前駆体）を提供することである。
【課題を解決するための手段】
【００１１】
本発明の第一の実施形態によれば、ポリエチレングリコール（ＰＥＧ）及びゲル化成分を含むゲルの液状前駆体が提供される。前記ポリエチレングリコール（ＰＥＧ）と前記ゲル化成分は、ゲル化の開始時にゲルを形成するために相互作用する。
【００１２】
１つの実施例では、ゲル化成分は重合が可能である。更なる実施例では、その液状前駆体にはさらに重合開始剤が含まれる。また更なる実施例では、重合開始剤には光開始剤が含まれ、ゲル化の開始には液状前駆体への電磁放射による照射が含まれる。また更なる実施例では、光重合開始剤はジフェニル‐（２，４，６‐トリメチルベンゾイル）‐ホスフィン酸化物であり、ゲル化の開始にはＵＶ及び／又は青色光による照射が含まれる。
【００１３】
１つの実施例では、ゲル化成分には少なくとも１種のアクリル誘導体が含まれる。更なる実施例では、ゲル化成分には１種よりも多いアクリル誘導体の混合物が含まれる。そのゲル化成分は、ＤＥＬＯ  Ｐｈｏｔｏｂｏｎｄｓ  ＡＤ４９１、ＡＤ４９２及びＰＢ４３７のように市販されている光開始硬化型接着剤であってもよい。
【００１４】
１つの実施例では、その液状前駆体は水を含まない。
【００１５】
本発明の第二の実施形態によれば、本発明の第一の実施形態の液状前駆体のゲル化によって入手できるゲルが提供される。
【００１６】
１つの実施例では、そのゲルは水を含まない。
【００１７】
本発明の第３の実施形態によれば、液体ポリエチレングリコール（ＰＥＧ）とゲル化成分とを混合すること、該混合物のゲル化を開始するために該混合物を処理することを含むゲルを形成する方法が提供される。
【００１８】
１つの実施例では、ゲル化成分は重合可能な材料であり、ゲル化を開始するための混合物の処理にはゲル化成分の重合の開始が含まれる。
【００１９】
１つの実施例では、液体ポリエチレングリコールは粘性の液体である。
【００２０】
１つの実施例では、ポリエチレングリコールとゲル化成分の両方が液体である。
【００２１】
１つの実施例では、ゲル化成分には少なくとも１種のアクリル誘導体が含まれる。更なる実施例では、ゲル化成分には１種よりも多いアクリル誘導体が含まれる。
【００２２】
１つの実施例では、その方法には、重合開始剤により重合を開始することが含まれる。重合開始剤は、液体ポリエチレングリコールとゲル化成分のそれぞれに加えることもできるし、又は、ポリエチレングリコール若しくは（好ましくは）ゲル化成分と前もって混合することもできる。更なる実施例では、重合開始剤には光開始剤が含まれる。また更なる実施例では、光開始剤はジフェニル‐（２，４，６‐トリメチルベンゾイル）‐ホスフィン酸化物である。
【００２３】
１つの実施例では、混合物のゲル化を開始するための処理には、該混合物への電磁放射による照射が含まれる。更なる実施例では、電磁放射にはＵＶ放射が含まれる。
【００２４】
本発明の第４の実施形態によれば、本発明の第２の実施形態に基づいたゲルが含まれる第１部位及び実質的にゲルの存在しない第２部位を有するチューブを含む表示装置が提供される。そこでは、その表示装置に閾値よりも大きい力がかかることにより、少なくともゲルの一部がチューブの第２部位に移動する。一方、閾値未満の力ではそのようなゲルの移動はない。
【００２５】
ゲルは独立しているので、チューブの第１部位にゲルを保持するためのどんな手段についても必要な条件がないことが理解される。
【００２６】
１つの実施例では、ゲルを着色してもよい。
【００２７】
表示装置は、それが使用される装置と一体的に形成してもよいし、別々に形成し、その後、取り付けてもよい。
【００２８】
本発明の第５の実施形態によれば、本発明の第４の実施形態の表示装置を含む情報担体が提供される。
【００２９】
１つの実施例では、情報担体はそれに保存された情報を検索するために、駆動手段による回転が可能である。更なる実施例では、情報担体は光ディスクドライブでの使用に適している。更なる実施例では、情報担体は、コンパクトディスク又はＤＶＤなどのディスクである。
【００３０】
本明細書で使用される「それに保存された情報を検索するために、駆動手段による回転が可能」というフレーズは、情報担体（又は情報担体の一部）が、その担体に保存されている情報にアクセスするために、使用時に回転するように構成されていることを意味する。通常、情報は、移動性が制限された読み込みヘッドによって担体から読まれ、担体の回転により読み込みヘッドが担体の表面全体にアクセスすることを可能にする。そのようなシステムは（これに制限されないが）、通常、コンピュータ・ディスクドライブや磁気又は光ディスクを読むようにデザインされた他のシステムにみられる。本明細書で使用される「ディスク」という用語は、当該技術分野でよく理解されている平面状の情報担体のことを言い、フロッピー（登録商標）ディスク、ハードディスクなどの磁気ディスク、レーザーディスク、コンパクトディスク、ＤＶＤなどの光ディスク、ＭＯディスク等を含むことができる。そのような「ディスク」は通常円形であるが、必ずしもそうではない。コンピュータのＣＤ‐ＲＯＭやＤＶＤ‐ＲＯＭドライブで読み込み可能な長方形やその他の形（好ましくは対称）の「ディスク」が知られている。
【００３１】
本発明の第６の実施形態によれば、動作検出装置を有する情報担体の製造方法が提供される。該製造方法は以下を含む：
ａ）情報担体の表面に少なくとも１つの開口部を有するチューブを含む情報担体を準備すること；
ｂ）本発明の第一の実施形態に基づくゲル前駆体を、実質的にチューブの全部ではなく、その一部を占めるように、該開口部からチューブの中に入れること；及び、
ｃ）ゲルを形成するように該ゲル前駆体を処理すること。
【００３２】
実際的な理由から、通常、ゲル前駆体の成分はチューブに入れる前に、前もって混合される。しかし、ゲル前駆体の成分を別々にチューブに入れ、チューブの中で混合することも可能である。本発明は、その範囲内にそのような可能性があると解釈されるべきである。
【実施例】
【００３３】
ここに、本発明を実施例の過程により説明する。
【００３４】
粘稠度の低い油性液状前駆体を得るために、ポリエチレングリコール（平均分子量：約４００）４部及びＤＥＬＯ‐ＰＨＯＴＯＢＯＮＤ  ＡＤ４９１（ＤＥＬＯ  Ｉｎｄｕｓｔｒｉｅｋｌｅｂｓｔｏｆｆｅ  ＧｍｂＨ＆Ｃｏ．ＫＧ［Ｏｈｍｓｔｒａｓｓｅ３０，８６８９９Ｌａｎｄｓｂｅｒｇ，ドイツ］製接着剤）をＵＶへの曝露を防止しながら静かに回転バレルで混合した。この前駆体のＵＶへの曝露は油性の前駆体を固いゲルに変化させる。
【００３５】
ＤＥＬＯ‐ＰＨＯＴＯＢＯＮＤ  ＡＤ４９１は、以下の組成物を含有する（製造元のデータシート）。
アクリル酸イソボルニル  ２５‐７５％
アクリル樹脂（Ａｃｒｙｌｈａｒｚ）  ２５‐７５％
アクリル酸  １０‐５０％
アクリロイルモルホリン  ２．５‐３０％
ジフェニル（２，４，６‐トリメチルベンゾイル）ホスフィン酸化物  ０‐１０％
【国際調査報告】
2010526201.tif 000002
2010526201.tif 000003